(57)【要約】      （修正有）【課題】膨大な保管スペースを必要とせず、また、使用後は構成部位を分離させ、焼却処分することが可能である搬送用感染拡大低減装置を提供する。【解決手段】ＨＥＰＡフィルタ付のシート状カバー部３、内骨組み部、送風機付きユニット２から構成され、患者搬送時、ダンボール枠と塩ビパイプから構成された内骨組み部を、患者の頭部上に設けられる位置にて、ＨＥＰＡフィルタ付きのシート状カバー部内に組み込み、ＨＥＰＡフィルタ付きのシート状カバー部における排気口に送風機付きユニットを取り付けて排気処理を行い、各構成部位の接続、分離が可能であることを特徴とする。【選択図】図２
0003200000.tif 000002
【実用新案登録請求の範囲】
【請求項１】
HEPAフィルタ付のシート状カバー部、内骨組み部、送付機ユニットから構成され、各部位の接続、分離が可能であることを特徴とした搬送用感染拡大低減装置。
【考案の詳細な説明】
【技術分野】
【０００１】
本発明は、感染症の疑いのある患者を病院に搬送する際に、周囲の健常者へのウイルス感染のリスクを抑制するための搬送用感染拡大低減装置に関するものである。
【背景技術】
【０００２】
歩行が困難な患者を搬送する際、ストレッチャー等を用いることが一般的であるが、搬送する患者に感染症の疑いがある場合、周囲の健常者への空気感染を予防するために、患者を搬送用隔離器具に搭載して搬送する必要がある。
【０００３】
特許文献１では、患者を載せるベッド部と、患者を収容するカプセル部と、該ベッド部と該カプセルを搭載する支持部とから構成された患者搬送装置について提案されている。特許文献２では、ストレッチャー部に患者搬送用カプセルを搭載し、送風機の入れ替えによってカプセル内を陰圧、及び陽圧に保持することが可能なクリーン隔離搬送カプセルが提案されている。特許文献３では、シート状の搬送用バッグに送風機を取り付け、搬送スタッフが掴む把持部を備えた感染症患者搬送バッグについて提案されている。
【先行技術文献】
【特許文献】
【０００４】
特許文献１・・・特開２００２―１７７８４
特許文献２・・・特開２００５―２８０５８
特許文献３・・・特開２００５―２７８４１
【考案の概要】
【考案が解決しようとする課題】
【０００５】
感染症の疑いのある患者を搬送する器具に関して、従来の技術では往々にして特許文献１や、特許文献２のように器具自体が大型となってしまい、保管時のスペースが十分に確保することが難しいという問題があった。また、特許文献３のように、コストや器具の保管スペースの面を考慮し、シート状の搬送用バッグを用いる手法があるが、使用時の該器具内は陰圧に保つ必要があるため、該搬送用バッグは常に萎んだ状態となり、患者に対するストレス要因となる恐れがある。
【０００６】
本発明では、感染症の疑いのある患者を病院に搬送する際に、周囲の健常者へのウイルス感染のリスクを抑制するための搬送用器具に関して、患者への搬送時におけるストレス要因を取り除きつつ、保管時、使用時、廃棄時に想定されうる問題点を考慮した感染拡大低減装置を提案する。
【課題を解決するための手段】
【０００７】
本発明における感染拡大低減装置は、HEPAフィルタ付きのシート状カバー部３、内骨組み部、送付機ユニット部１から構成されることとなる。感染症の疑いのある患者を搬送する際は、該シートカバー部に設けられたファスナー部６を開口し、該シート状カバー部内へ収容することとなる。
【０００８】
該内骨組み部は、HEPAフィルタ付きのシート状カバー部３における窓部５と患者の顔面部が接触しないように、患者の顔面部周辺を囲むようにアーチ形状をなす。患者の容態に応じて２箇所以上、アーチ形状の内骨組み部を該シート状カバー部内に設けてもよい。内骨組み部４の構成材質に関しては、焼却可能であれば合成樹脂、段ボールなど特に限定されるものではない。また、該シート状カバー部には、患者の容態を確認するために、透明状の窓部５が設けられている。
【０００９】
該シート状カバー部には排気口が設けられており、該排気口にはHEPAフィルタユニットが固定された状態で接着されている。該HEPAフィルタユニットは、プリーツ状にジグザグに折り畳まれたエアフィルタろ材を、合成樹脂枠、木枠、あるいは紙枠など焼却可能なフィルタ枠に収めたものである。さらに、該シート状カバー部面には、内部へのグローブ状アクセス口９が一箇所以上設けられている。また、患者の収容をより効率的に実施するために、患者収容時、予め該シート状カバー部内に内骨組み部を設置しておく。
【００１０】
該シート状カバー部内からHEPAフィルタを通して排気処理を行うために、HEPAフィルタ付きのシート状カバー部３における排気口には、送風機付きユニット部４が取り付けられる。送付機付きユニット部４は、該シートカバー部に取り付けられたHEPAフィルタユニットへスライド状に取り付け可能なカセット形式となっており、該送風機付きユニット部４の稼働によって、該シート状カバー部内は陰圧状態となる。また、必要に応じて、送風機付きユニット部を切り替えるだけで該シート状カバー部６内を陽圧に切り替えることも可能である。HEPAフィルタ付きのシート状カバー部３は、柔軟性、可燃性を持ち、該カバー部内を陰圧に保つことができる材質であれば、構成部材は特に限定されるものではない。
【考案の効果】
【００１１】
本発明における搬送用感染拡大低減装置は、HEPAフィルタ付きのシート状カバー部３、内骨組み部、送付機付きユニット部４、としてそれぞれ着脱可能であり、また、HEPAフィルタ付きのシート状カバー部３、及び内骨組み部は、折りたたんで保管することが可能である。そのため、本発明における搬送用感染拡大低減装置は膨大な保管スペースを必要とせず、また、使用後は構成部位を分離させ、焼却処分することが可能である。
【図面の簡単な説明】
【００１２】
【図１】搬送用感染拡大低減装置の概略図
【図２】搬送用感染拡大低減装置の側面図
【考案を実施するための形態】
【実施例】
【００１３】
以下、本発明における感染拡大低減装置の構成について説明する。HEPAフィルタ付きのシート状カバー部３は塩化ビニル樹脂から形成されており、保管時は他の構成部材とは別に、折り畳まれた状態で保管される。該感染拡大低減装置を使用する際は、まず、樹脂製の棒状外枠に外骨組み部吊り穴７をとおし、該シート状カバー部を広げる。そして、該シート状カバー部に設けられたファスナー部６を開口し、該シート状カバー部内に内骨組み部を組み込んだ後、該感染拡大低減装置内に患者を収容する。該内骨組み部は、２枚のダンボール枠と塩ビパイプから構成される。３本の塩ビパイプをアーチ状に形成された各ダンボール枠へ差し込み、各ダンボール枠を連結させる。該内骨組み部は、該シート状カバー部内の患者の頭部上に設け、患者と該シート状カバー部の接触を防ぐ役割を果たす。
【００１４】
患者を該感染拡大低減装置内に収容後、固定ベルト８を用いて患者を固定し、ファスナー部６を閉口後、カセット式の送風機付きユニット部４を、該シート状カバー部の排気口に接着されているHEPAフィルタユニットへ取り付ける。送風機付きユニット部４は、ポータブル型の電源によって稼働するものとし、該シート状カバー部内が陰圧となるように事前に処理風量を設定しておく。該感染拡大低減装置において、吸気ノズル１０から外気を吸気し、送風機付きユニット部４によって、該感染拡大低減装置内に取り入れる外気量以上に、排気口から排気処理が行われる。
【００１５】
送風機付きユニット部４稼働後、該シート状カバー部の凹みによって、該シート状カバー部内が陰圧であることが確認できたなら、連結ベルト等を用いて該感染拡大低減装置とストレッチャーを固定し、患者を医療機関へ搬送する。
【００１６】
該シート状カバー部の頭部側に設けられる排気用の送風機付きユニット部４は、患者を搬送後に該感染拡大低減装置から切り離され、それ以外の該装置を構成する部材は分解後、焼却処分されることとなる。
【産業上の利用可能性】
【００１７】
本発明における搬送用感染拡大低減装置は、折りたたんで保管することができ、使用時はストレッチャーなどに取り付けるだけで患者の搬送が可能である。そのため、空港など多くの人が行き来する場所において非常時用器具を多数保管したとしても、膨大な保管スペースを必要とせず、非常時の患者搬送用器具として大いに活用できる。
【符号の説明】
【００１８】
１・・・搬送用感染拡大低減装置                  ２・・・送風機付きユニット部
３・・・HEPAフィルタ付きのシート状カバー部    ４・・・送風機付きユニット部
５・・・窓部                                    ６・・・ファスナー部
７・・・外骨組み部吊り穴                        ８・・・固定ベルト
９・・・グローブ状アクセス口                  １０・・・吸気ノズル
【図１】
0003200000.tif 000003
【図２】
0003200000.tif 000004
【手続補正書】
【提出日】平成27年7月29日(2015.7.29)
【手続補正１】
【補正対象書類名】実用新案登録請求の範囲
【補正対象項目名】全文
【補正方法】変更
【補正の内容】
【実用新案登録請求の範囲】
【請求項１】
HEPAフィルタ付のシート状カバー部、内骨組み部、送風機付きユニットから構成され、患者搬送時、ダンボール枠と塩ビパイプから構成された当該内骨組み部を、患者の頭部上に設けられる位置にて、当該HEPAフィルタ付きのシート状カバー部内に組み込み、当該HEPAフィルタ付きのシート状カバー部における排気口に当該送風機付きユニットを取り付けて排気処理を行い、各構成部位の接続、分離が可能であることを特徴とした搬送用感染拡大低減装置。
【手続補正２】
【補正対象書類名】明細書
【補正対象項目名】０００７
【補正方法】変更
【補正の内容】
【０００７】
本発明における感染拡大低減装置は、HEPAフィルタ付きのシート状カバー部３、内骨組み部、送風機付きユニット部４から構成されることとなる。感染症の疑いのある患者を搬送する際は、該シート状カバー部に設けられたファスナー部６を開口し、該シート状カバー部内へ収容することとなる。
【手続補正３】
【補正対象書類名】明細書
【補正対象項目名】０００８
【補正方法】変更
【補正の内容】
【０００８】
該内骨組み部は、HEPAフィルタ付きのシート状カバー部３における窓部５と患者の顔面部が接触しないように、患者の顔面部周辺を囲むようにアーチ形状をなす。患者の容態に応じて２箇所以上、アーチ形状の内骨組み部を該シート状カバー部内に設けてもよい。内骨組み部の構成材質に関しては、焼却可能であれば合成樹脂、段ボールなど特に限定されるものではない。また、該シート状カバー部には、患者の容態を確認するために、透明状の窓部５が設けられている。
【手続補正４】
【補正対象書類名】明細書
【補正対象項目名】００１０
【補正方法】変更
【補正の内容】
【００１０】
該シート状カバー部内からHEPAフィルタを通して排気処理を行うために、HEPAフィルタ付きのシート状カバー部３における排気口には、送風機付きユニット部４が取り付けられる。送風機付きユニット部４は、該シートカバー部に取り付けられたHEPAフィルタユニットへスライド状に取り付け可能なカセット形式となっており、該送風機付きユニット部４の稼働によって、該シート状カバー部内は陰圧状態となる。また、必要に応じて、送風機付きユニット部を切り替えるだけで該シート状カバー部３内を陽圧に切り替えることも可能である。HEPAフィルタ付きのシート状カバー部３は、柔軟性、可燃性を持ち、該カバー部内を陰圧に保つことができる材質であれば、構成部材は特に限定されるものではない。
【手続補正５】
【補正対象書類名】明細書
【補正対象項目名】００１１
【補正方法】変更
【補正の内容】
【００１１】
本発明における搬送用感染拡大低減装置は、HEPAフィルタ付きのシート状カバー部３、内骨組み部、送風機付きユニット部４、としてそれぞれ着脱可能であり、また、HEPAフィルタ付きのシート状カバー部３、及び内骨組み部は、折りたたんで保管することが可能である。そのため、本発明における搬送用感染拡大低減装置は膨大な保管スペースを必要とせず、また、使用後は構成部位を分離させ、焼却処分することが可能である。